(57)【要約】【課題】  リンパ管にたまっている老廃物の除去を外部から積極的に促進でき、リンパ管にたまっている老廃物の流れを積極的に助長し得る携帯用健康器具を提供する。【解決手段】  平板状の基板２と該基板２上に立設された突起部材３からなり、該突起部材３は、所望の厚み及び幅を有しかつ上面部が円弧状に連続する当接面部６が形成され、この当接面部６により老廃物がたまっている部位を押し当てながらその周囲にそぎ落とすように動作し、当該部位に刺激（ひっかく刺激）を与えることができる。【選択図】  図１
2006346163.tif 000002
【特許請求の範囲】
【請求項１】
平板状の基板と該基板上に立設された突起部材からなり、該突起部材は、所望の厚み及び幅を有しかつ上面部が円弧状に連続する当接面部が形成されていることを特徴とする携帯用健康器具。
【請求項２】
請求項１記載の携帯用健康器具であって、基板に対し、突起部材を着脱可能に設けたことを特徴とする携帯用健康器具。
【請求項３】
所望の径の軸状本体部と、該軸状本体部の軸端部に突設された突起部材とからなり、該突起部材は、軸部と該軸部の先端に段差状に外側に膨出された半球状の当接面部とが形成されていることを特徴とする携帯用健康器具。
【発明の詳細な説明】
【技術分野】
【０００１】
本発明は、足裏や手の平にある反射区におけるリンパ管を刺激するための携帯用健康器具に係り、詳しくは、人体の頭から手先及び足先間を走行しかつ各臓器や器官等の働きに連動した反射区が存在すると言われており、該反射区に対応するリンパ管にたまっている老廃物の流れを外部から積極的に助長し得る携帯用健康器具に関するものである。
【背景技術】
【０００２】
一般に、足裏や手の平にある「つぼ」と称する部位を押し当てて該「つぼ」を刺激する健康器具が数多く案出されている。例えば平板上に上端を円弧状にした突起（押圧部材）を多数個突設して、この突起（押圧部材）を足裏に存在する「つぼ」を押圧して刺激する構成（特許文献１参照）のものや、軸状本体に先端を円弧状にした突起物を設けて、この突起物を手の平に存在する「つぼ」を押圧して刺激する構成（特許文献２参照）のものが案出されている。
【特許文献１】特開２００３−６７３号
【特許文献２】登録実用新案第３００９９３２号
【発明の開示】
【発明が解決しようとする課題】
【０００３】
しかしながら、上記従来のいずれのものにあっても、先端を円弧状にした突起物（押圧部材）は、足裏や手の平にある「つぼ」を押圧して該「つぼ」を刺激することができるもので、あくまでも押圧に適する構成であり、上述した反射区に対応するリンパ管にたまっている老廃物の流れを助長ものとしては対応することがでないものであった。すなわち、リンパ管にたまっている老廃物は、当該部位への押圧や、「揉む」という行為のみでは除去することができず、その流れを助長することができないものであった。
そこで、本発明は、上記した問題点に鑑み、リンパ管にたまっている老廃物の除去を外部から積極的に促進でき、リンパ管にたまっている老廃物の流れを積極的に助長し得る携帯用健康器具を提供することを課題とする。
【課題を解決するための手段】
【０００４】
上記した課題は、各請求項記載の発明によって解決される。
請求項１記載の発明は、平板状の基板と該基板上に立設された突起部材からなり、該突起部材は、所望の厚み及び幅を有しかつ上面部が円弧状に連続する当接面部が形成されていることを要旨とする。
【０００５】
この発明にあっては、所望の厚み及び幅を有しかつ上面部が円弧状に連続する当接面部に対して、例えば、足裏において、反射区に対応するリンパ管における老廃物がたまっている部位を押し当てながらその周囲にそぎ落とすように動作し、当該部位に刺激（ひっかく刺激）を与えることができる。これによって、当該部位のたまっている老廃物の除去を外部から積極的に促進でき、リンパ管にたまっている老廃物の流れを積極的に助長し得るものである。
【０００６】
請求項２記載の発明は、請求項１記載の携帯用健康器具であって、基板に対し、突起部材を着脱可能に設けたことを要旨とする。
【０００７】
この発明にあっては、基板に対して突起部材を着脱可能にすることによって、別の形状の突起部材との取替えを任意に選択して使用することができるとともに、基板、突起部材の両者分解して携帯することができ、その携帯の利便性を高めることができる。
【０００８】
請求項３記載の発明は、所望の径の軸状本体部と、該軸状本体部の軸端部に突設された突起部材とからなり、該突起部材は、軸部と該軸部の先端に段差状に外側に膨出された半球状の当接面部とが形成されていることを要旨とする。
【０００９】
この発明によれば、例えば、手の平において、突起部材における半球状の当接面部を反射区に対応するリンパ管における老廃物がたまっている部位に押し当てながらその周囲にそぎ落とすように動作し、当該部位に刺激（ひっかく刺激）を与えることができる。これによって、当該部位のたまっている老廃物の除去を外部から積極的に促進でき、リンパ管にたまっている老廃物の流れを積極的に助長し得るものである。
【発明の効果】
【００１０】
請求項１記載の発明によれば、例えば、足裏において、反射区に対応するリンパ管における老廃物がたっている当該部位に対し、刺激（ひっかく刺激）を与えることができる。これによって、当該部位のたまっている老廃物の除去を外部から積極的に促進でき、リンパ管にたまっている老廃物の流れを積極的に助長し得、健康の促進に寄与することができる。
【００１１】
請求項２記載の発明によれば、別の形状の突起部材との取替えを任意に選択して使用することができるとともに、基板、突起部材両者を分解して携帯することができ、その携帯の利便性を高めることができる。
【００１２】
請求項３記載の発明によれば、例えば、手の平において、反射区に対応するリンパ管における老廃物がたっている当該部位に対し、刺激（ひっかく刺激）を与えることができる。これによって、当該部位のたまっている老廃物の除去を外部から積極的に促進でき、リンパ管にたまっている老廃物の流れを積極的に助長し得、健康の促進に寄与することができる。
【発明を実施するための最良の形態】
【００１３】
次に、本発明を実施するための最良の形態について、実施例にしたがって説明する。
【実施例】
【００１４】
図１に示すように、本例の携帯用の健康器具１は、携帯に適する所定厚さの矩形の平板状から形成された基板２と、該基板２上に立設された突起部材３とからなり、該突起部材３は、円形のリング形状から構成されるとともに、その下部のネジ軸４が前記基板２のほぼ中央部にネジ孔５を介して着脱可能に締着されている。この突起部材３のリング部位は、所望の径（厚み）厚及び所望にリング径（幅）を有しており、該リング部位のほぼ上部が所望の厚み及び幅を有しかつ上面部が円弧状に連続する当接面部６を形成するように構成されるものである。
【００１５】
なお、前記基板２は、携帯に適するように、厚さ約１ｃｍでかつ１０ｃｍの矩形状とすることが好ましく、その材質は、合成樹脂製とすることが好ましい。また、突起部材３にあっては、基板２と同様に合成樹脂製とすることもできるが、金属製とすることがこのましい。
【００１６】
上記のように、構成された本例の携帯用の健康器具１にあっては、リンパ管にたまっている老廃物は当該部位への押圧や、「揉む」という行為のみでは除去することができず、その流れを助長することができないという問題点に着目し案出されたもので、本例の健康器具１全体を定置し、その突起部材３における所望の厚み及び幅を有しかつ上面部が円弧状に連続する当接面部６に対し、図４の（ａ）（ｂ）に示すように、例えば、足裏において、反射区に対応するリンパ管における老廃物がたまっている部位を押し当てながらその周囲にそぎ落とすように数回繰り返し動作し、当該部位及びその反射区に刺激（ひっかく刺激）を与えるものである。
これによって、当該部位のたまっている老廃物の除去を外部から積極的に促進でき、リンパ管にたまっている老廃物の流れを積極的に助長し得、たまっている老廃物が原因となる「むくみ」をとるとともに血液の流れの良化し、健康の促進に寄与するものである。
【００１７】
なお、図３に示す携帯用の健康器具１は、前述した実施例における突起部材３の形状をほぼ楕円形に変形した例で、楕円上部にほぼ平滑状の当接面部６ａを形成するように構成されたもので、その余の構成は前述した実施例と同様であるので、図中、同符号を付してその説明を省略する。
したがって、図３に示す携帯用の健康器具１にあっても、前述した実施例と同様の作用効果を享受するものである。
【００１８】
また、本例の携帯用の健康器具１にあっては、基板２に対し、突起部材３がそのネジ軸４及びネジ孔５を介して着脱可能に締着されるものであるから、別の形状の突起部材３との取替えを任意に選択して使用することができるとともに、基板２、突起部材３の両者を分解して携帯することができ、その携帯の利便性を高めることができる。
【００１９】
なお、本例にあっては、突起部材３の全体形状を図示の形状に限定するものではなく、他の種々の形状に変更可能であり、また、突起部材３全体を磁性体の金属で構成することができる。そして、基板２を比較的大型化した形状に形成した据え置き式とした構造にも対応可能であり、この場合も上記と同様な作用効果を得ることができ、該基板２に足を載せて該足裏を暖める予熱付与手段を組込み、と該部位に対する刺激付与を効果的にすることもできる。
【００２０】
さらに、図５に示す携帯用の健康器具１０にあっては、携帯に適する所望の径及び長さの軸状本体部１１と、該軸状本体部１１の軸端部に突設された突起部材１２とからなり、該突起部材１２は、図６に示すように軸部１２ａと該軸部１２ａの先端に段差部１２ｂを形成して外側に膨出された半球状の当接面部１３とを備えている。
【００２１】
したがって、この携帯用の健康器具１０にあっては、本例の健康器具１０全体を手に持ちし、その突起部材１２における先端に段差部１２ｂを形成して外側に膨出された半球状の当接面部１３を、例えば、手の平において、反射区に対応するリンパ管における老廃物がたまっている部位に押し当てながらその周囲にそぎ落とすように数回繰り返し動作し、当該部位及びその反射区に刺激（ひっかく刺激）を与えるものである。
これによって、前述した実施例と同様に、当該部位のたまっている老廃物の除去を外部から積極的に促進でき、リンパ管にたまっている老廃物の流れを積極的に助長し得、たまっている老廃物が原因となる「むくみ」をとるとともに血液の流れの良化し、健康の促進に寄与するものである。
【００２２】
なお、上記した携帯用の健康器具１０にあって、軸状本体部１１の他方側の軸端部に金具１４を介して飾り鎖、飾り紐１５を装着することにとって、各種ストラップとしてその携帯の利便性を高めることができる。
【図面の簡単な説明】
【００２３】
【図１】本発明の実施例の形態に係る斜視図である。
【図２】図１のＡ−Ａ線断面図である。
【図３】別の実施例の断面図である。
【図４】使用状態を示す説明図である。
【図５】別の実施例を示す斜視図である。
【図６】図５におけるＢ部の拡大断面図である。
【符号の説明】
【００２４】
１  携帯用の健康器具
２  基板
３  突起部材
６  当接面部
１０  携帯用の健康器具
１１  軸状本体部
１２  突起部材
１３  当接部材
【図１】
2006346163.tif 000003
【図２】
2006346163.tif 000004
【図３】
2006346163.tif 000005
【図４】
2006346163.tif 000006
【図５】
2006346163.tif 000007
【図６】
2006346163.tif 000008